(57)【特許請求の範囲】
【請求項１】
生ゴミを収納し底部が断面半円形状に形成された収納容器と、生ゴミを撹拌する撹拌羽根と、前記半円形状の断面と直交し前記収納容器内に水平に軸支されて撹拌モータによって回転される撹拌軸と、前記撹拌羽根と前記撹拌軸を連結する羽根固定軸を備え、前記撹拌羽根の少なくとも２つは前記撹拌軸に対して略対称に設けるとともに、片方の撹拌羽根の先端は前記収納容器の底面に略接するように固定し、他方の撹拌羽根の先端は前記収納容器の底面と隙間を設けて固定すると共に、前記撹拌軸と直交する収納容器の側面に固定刃を設け、前記撹拌羽根は前記固定刃側に、前記固定刃とかみ合う凹凸を設けた厨芥処理機。
【発明の詳細な説明】
【０００１】
【発明の属する技術分野】
本発明は生ゴミなどの厨芥を処理する厨芥処理機に関する。
【０００２】
【従来の技術】
従来の厨芥処理機について説明する。図９は従来例の厨芥処理機の正面からの断面図、図１０は同側面からの断面図である。図に於いて、１は本体２に固着された底断面が略円形の生ゴミの収納容器である。収納容器１内には生ゴミの粉砕、撹拌手段として回転自在に水平支持された回転軸４に羽根固定軸５を介して複数個の撹拌羽根６が固着してある。撹拌羽根６は略偏平で隣の羽根と水平方向に若干のオーバーラップをしながら収納容器１の内周壁面にこすれる程度に近接して設けられている。回転軸４は駆動モータ７によって駆動される。収納容器１の外側上面には収納容器１内の温度を検知する温度検知手段９が当接している。生ゴミ収納容器１の上部には熱風撹拌手段として上ヒータ１０と、上ヒータ１０の熱を収納容器１内に送り込むための送風ファン１１が設けられ、送風ファン１１外周には下方に開口部を有するフード１２を配設している。送風ファン１１はファンモータ２０と連結して、回転駆動される。１８は処理するための厨芥を投入するための投入口である。
【０００３】
２２は温度検知手段９の検知温度に基づき上ヒータ１０の通電を制御する制御手段である。２３は温度検知手段９の検知温度に基づき生ゴミが乾燥したかどうかを判定する乾燥判定手段である。１３は生ゴミから発生した臭気を脱臭する触媒脱臭装置である。触媒脱臭装置１３の内部には触媒２４と触媒２４を加熱するための触媒ヒータ２５が内蔵されている。触媒脱臭装置１３は排気ダクトＡ１４によって排出装置１５と連結されている。排出装置１５内には生ゴミの収納容器１内の蒸気を外部に排出するための排出ファン１６が設けられている。排出ファン１６は排出モータ２１と連結によって回転され、収納容器１内の蒸気を触媒脱臭装置１３内に吸い込みさらに排気ダクトＡ１４、排気ダクトＢ１７を通って本体外に排出される。
【０００４】
以上のように構成された厨芥処理機について生ゴミの乾燥時動作を説明する。収納容器１内に投入された生ゴミは、撹拌羽根６によって何回も掻き上げられながら上部の上ヒータ１０と送風ファン１１によって満遍なく加熱乾燥されていく。
【０００５】
上ヒータ１０は温度検知手段９の検知温度がある所定温度に達するまでは通電し続けるが、温度検知手段９の検知温度がある所定温度に達してからは温度検知手段９の温度がある所定温度となるように制御手段２２が上ヒータ１０の通電を制御する。そして、生ゴミから発生した蒸気は排出装置１５内の排出ファン１６が回転することによって触媒脱臭装置１３内に吸い込まれ脱臭される。脱臭された蒸気は排気ダクトＡ１４、排気ダクトＢ１７を通って本体外へ排出される。そして、生ゴミが乾燥し蒸気の発生が少なくなると温度検知手段９の検知温度が上昇し検知温度がある温度に達すると乾燥判定手段２３が生ゴミの乾燥が終了したと判定し機器を停止させる。乾燥処理されて体積の減少した厨芥は排出孔２６よりシャッター２９を操作して収納容器１の外部に排出される。
【０００６】
【発明が解決しようとする課題】
しかし前記従来の構成では、ごはんなどのでんぷん質の多いゴミが投入されると羽根固定軸５または撹拌羽根６にゴミが付着すると粉砕されずに塊になるため、ゴミを収納容器１外に出すことが困難になったり、塊状のゴミの外側は乾燥しているが内側は乾燥していない不均一な乾燥状態になる問題があった。本発明は前記課題を解決するもので、ごはんなどのでんぷん質の多いゴミを粉砕乾燥できる厨芥処理機を提供することを目的としている。
【０００７】
【課題を解決するための手段】
前記従来の課題を解決するため本発明は、生ゴミを収納し底部が断面半円形状に形成された収納容器と、生ゴミを撹拌する撹拌羽根と、前記半円形状の断面と直交し前記収納容器内に水平に軸支されて撹拌モータによって回転される撹拌軸と、前記撹拌羽根と前記撹拌軸を連結する羽根固定軸を備え、前記撹拌羽根の少なくとも２つは前記撹拌軸に対して略対称に設けるとともに、片方の撹拌羽根の先端は前記収納容器の底面に略接するように固定し、他方の撹拌羽根の先端は前記収納容器の底面と隙間を設けて固定すると共に、前記撹拌軸と直交する収納容器側面に固定刃を設け、前記撹拌羽根は前記固定刃側に、前記固定刃とかみ合う凹凸を設けたものである。
【０００８】
これによって収納容器の底面に、ごはんなどのでんぷん質の多いゴミをこびりつかせた後撹拌羽根で、確実に剥がすことができ、また撹拌羽根に付着したゴミを固定刃で剥がすこともでき、さらには羽根固定軸に付着した大きなゴミも固定刃で剥がすこともでき、でんぷん質の多いゴミを容易に粉砕乾燥することができる。
【０００９】
【発明の実施の形態】
請求項１に記載の発明は、生ゴミを収納し底部が断面半円形状に形成された収納容器と、生ゴミを撹拌する撹拌羽根と、前記半円形状の断面と直交し前記収納容器内に水平に軸支されて撹拌モータによって回転される撹拌軸と、前記撹拌羽根と前記撹拌軸を連結する羽根固定軸を備え、前記撹拌羽根の少なくとも２つは前記撹拌軸に対して略対称に設けるとともに、片方の撹拌羽根の先端は前記収納容器の底面に略接するように固定し、他方の撹拌羽根の先端は前記収納容器の底面と隙間を設けて固定すると共に、前記撹拌軸と直交する収納容器側面に固定刃を設け、前記撹拌羽根は前記固定刃側に、前記固定刃とかみ合う凹凸を設けたものである。
【００１０】
これによって収納容器の底面にでんぷん質の多いゴミをこびりつかせた後、撹拌羽根で、確実に剥がすことができる。また、撹拌羽根に付着したゴミを固定刃で剥がすことができ、さらには羽根固定軸に付着した大きなゴミも固定刃で剥がすこともでき、でんぷん質の多いゴミを剥がし粉砕乾燥することができる。
【００１１】
【実施例】
（実施例１）
以下本発明の実施例１について図を参照しながら説明する。なお、生ゴミの投入から乾燥後の排出機能は従来例で説明した内容と基本的に同じであるので以降の実施例では説明は省略し撹拌羽根の構成を主として説明する。また従来例と同一構成部品については同一符号を付して、その説明も省略する。
【００１２】
図１（ａ）本発明の実施例１を示す厨芥処理機の撹拌羽根の位置を示す縦断面図、（ｂ）同撹拌羽根の１８０度回転後の位置を示す要部縦断面図、図２は同側断面図である。図に於いて撹拌羽根Ａ６１と上下に対となるように固定した撹拌羽根Ｂ６２は撹拌軸４に固定された羽根固定軸５により一体に構成されている。そして撹拌羽根Ａ６１は収納容器１の略円形の底部に端面が略直線に接するように、また、撹拌羽根Ｂ６２は図１（ｂ）に示すように収容容器１の底面とＴなる隙間を有して略直線になるように形成されている。生ゴミが収容容器１内に投入され撹拌軸４が回転をすると、生ゴミは撹拌羽根Ｂ６２により隙間Ｔの厚さに収容容器１の底面に圧接されこびりつかせ、その後、撹拌羽根Ａ６１により収納容器１の底面から剥ぎ取る工程が繰り返されながら、ヒータ１０により乾燥が進行してゴミを粉砕乾燥することができる。
【００１３】
（実施例２）
実施例２について図を用いて説明する。なお、前記の実施例と同一構成部品については同一符号を付して、その説明を省略する。図３（ａ）本発明の実施例２を示す厨芥処理機の撹拌羽根の位置を示す縦断面図、（ｂ）同撹拌羽根の１８０度回転後の位置を示す要部縦断面図である。実施例１と異なるところは撹拌羽根Ａ６１の収納容器１の底面と接する端面には略鋸状の凹凸６３を設けているところである。
【００１４】
生ゴミが収納容器１内に投入され撹拌軸４が回転をすると、生ゴミは撹拌羽根Ｂ６２により隙間Ｔの厚さに収容容器１の底面に圧接されこびりつかせ、その後、撹拌羽根Ａ６１の鋸状の凹凸６３により収容容器１の底面から細かく分割されて剥ぎ取られ、大きな塊になることが少なくなり、この工程が繰り返されながらヒータ１０により乾燥がより早く進行してゴミを粉砕乾燥することができる。
【００１５】
（実施例３）
実施例３について図を用いて説明する。なお前記の実施例と同一構成部品については同一符号を付して、その説明を省略する。図４（ａ）本発明の実施例３を示す厨芥処理機の撹拌羽根の位置を示す縦断面図、（ｂ）同撹拌羽根の１８０度回転後の位置を示す要部縦断面図である。実施例１、２と異なるところは撹拌羽根Ａ６１、撹拌羽根Ｂ６２の生ゴミを掬う偏平面部分に複数の貫通孔６４を設けているところである。
【００１６】
実施例１の生ゴミを剥ぎ取る効果に加えて、撹拌羽根Ａ６１に複数の貫通孔６２を設けているので、ごはんなどのでんぷん質の多いごみを撹拌羽根Ａ６１に設けた貫通孔６２から、撹拌羽根Ａ６１と撹拌羽根Ｂ６２の回転時に貫通孔６２の形状にして押し出し、大きな塊になることを防ぐことができ、よりゴミを早く粉砕乾燥させることができる。
【００１７】
（実施例４）
実施例４について図を用いて説明する。なお前記の実施例と同一構成部品については同一符号を付して、その説明を省略する。図５（ａ）本発明の実施例４を示す厨芥処理機の撹拌羽根の位置を示す縦断面図、（ｂ）同撹拌羽根を底面側から見た傾斜状態を示す要部外観図である。前記実施例と異なるところは、撹拌羽根Ａ、撹拌羽根Ｂは撹拌羽根の底面側の先端部は曲線状で収容容器の底面に対して傾斜しているところである。
【００１８】
撹拌羽根Ａ６１、撹拌羽根Ｂ６２は夫々底面に対して傾斜しているので生ゴミは撹拌羽根Ａ６１、撹拌羽根Ｂ６２の傾斜面に沿って移動する量が増加して大きな塊になりにくくなり前記実施例と併用すれば効果が一層増大して、より早く粉砕乾燥ができる。
【００１９】
（実施例５）
実施例５について図を用いて説明する。なお前記の実施例と同一構成部品については同一符号を付して、その説明を省略する。図６（ａ）は本実施例５の厨芥処理機の撹拌羽根を下から見た下面図、（ｂ）は他の実施例の撹拌羽根を下から見た下面図である。前記実施例と異なるところは撹拌羽根の表面に多数の半球状の凸部、または表面に山切リ形状の凹凸を設けたところである。
【００２０】
撹拌羽根Ａ６１、撹拌羽根Ｂ６２の表面に多数の略半球状の凸部６５を、また山切り形状の凹凸６６を設けたものである。そしてごはんなどのでんぷん質の多いゴミが付着するのを防ぎ、大きな塊状になることを防ぎ、でんぷん質の多いゴミを粉砕乾燥することができる。
【００２１】
（実施例６）
実施例６について図を用いて説明する。なお前記の実施例と同一構成部品については同一符号を付して、その説明を省略する。図７は本発明の実施例６を示す厨芥処理機の撹拌羽根の位置を示す縦断面図である。異なるところは収納容器の側面に固定刃を設け、撹拌羽根側には前記固定刃形状に略かみ合う凹凸を設けたところである。
【００２２】
３１は撹拌羽根６の回転軸４側に撹拌羽根Ａ６１、撹拌羽根Ｂ６２に対して略直角に設けられた壁である。３３は壁３１に設けた固定刃である。また撹拌羽根Ａ６１と撹拌羽根Ｂ６２には壁３１側に固定刃３３に略かみ合う凹凸３４を有している。そして撹拌羽根Ａ６１、撹拌羽根Ｂ６２に付着したゴミは固定刃３３により剥がすことができる。また羽根固定軸５に付着した大きなゴミも剥がすことができ、乾燥残りも少なくなり、確実にゴミを粉砕乾燥することができる。
【００２３】
（実施例７）
実施例７について図を用いて説明する。なお前記の実施例と同一構成部品については同一符号を付して、その説明を省略する。図８（ａ）は本発明の実施例７を示す撹拌羽根の要部切欠きを含む表面図、（ｂ）は撹拌羽根の下面図である。
【００２４】
本実施例では羽根固定軸５に固定した撹拌羽根Ａ６１と、付勢手段６８を介して縦方向にスライド可能に密接させたスライド撹拌羽根６７を備えたものである。そしてたとえば撹拌羽根Ａ６１の回転時に撹拌羽根６７が縦方向にスライドすることで撹拌羽根Ａ６１に付着したゴミを、撹拌羽根６７のスライド時に剥がすことができ、でんぷん質の多いゴミを粉砕乾燥することができる。
【００２５】
【発明の効果】
以上のように本発明によれば、収納容器の底面に、ごはんなどのでんぷん質の多いゴミをこびりつかせた後、大きな塊にすることなく撹拌羽根で容易にかつ確実に剥がすことができ、でんぷん質の多いゴミを早く確実に粉砕乾燥処理することができる。
【図面の簡単な説明】
【図１】  （ａ）本発明の実施例１を示す厨芥処理機の撹拌羽根の位置を示す縦断面図
（ｂ）同撹拌羽根の１８０度回転後の位置を示す縦断面図
【図２】  本発明の実施例１を示す厨芥処理機の撹拌羽根の位置を示す横断面図
【図３】  （ａ）本発明の実施例２を示す厨芥処理機の撹拌羽根の位置を示す縦断面図
（ｂ）同撹拌羽根の１８０度回転後の位置を示す要部縦断面図
【図４】  （ａ）本発明の実施例３を示す厨芥処理機の撹拌羽根の位置を示す縦断面図
（ｂ）同撹拌羽根の１８０度回転後の位置を示す要部縦断面図
【図５】  （ａ）本発明の実施例４を示す厨芥処理機の縦断面図
（ｂ）同撹拌羽根の傾斜状態を示す要部下面図
【図６】  （ａ）本発明の実施例５を示す厨芥処理機の撹拌羽根の下面図
（ｂ）同他の実施例の撹拌羽根の下面図
【図７】  本発明の実施例６を示す厨芥処理機の縦断面図
【図８】  （ａ）本発明の実施例７を示す厨芥処理機の撹拌羽根の要部切欠きを含む表面図
（ｂ）同撹拌羽根の下面図
【図９】  従来例の厨芥処理機を示す縦断面図
【図１０】  従来例の厨芥処理機の横断面図
【符号の説明】
１  収納容器
４  回転軸
５  羽根固定軸
７  撹拌モータ
３３  固定刃
３４  かみ合う凹凸
６１  撹拌羽根Ａ（撹拌羽根）
６２  撹拌羽根Ｂ（撹拌羽根）
６３  凹凸
６４  貫通孔
６５  半球状の凸部
６６  山切り形状
６７  スライド撹拌羽根
６８  付勢手段
【図１】
0003982260.tif 000002
【図２】
0003982260.tif 000003
【図３】
0003982260.tif 000004
【図４】
0003982260.tif 000005
【図５】
0003982260.tif 000006
【図６】
0003982260.tif 000007
【図７】
0003982260.tif 000008
【図８】
0003982260.tif 000009
【図９】
0003982260.tif 000010
【図１０】
0003982260.tif 000011